(57)【特許請求の範囲】
【請求項１】
背フレームに張り部材を張設した背凭れを有した椅子であって、
前記背フレームが、外側方に開口した張り部材取付溝を有した左右の側枠材と、上方に開口した張り部材取付溝を有し前記左右の側枠材の上部間を連結する上枠材と、前記側枠材の下部間を連結する下枠材と、下方に開口した張り部材取付溝を有し前記下枠材との間に空洞を形成した状態で前記左右の側枠材同士を連結する中間連結枠材とを有した一体成型品である椅子。
【請求項２】
前記左右の側枠材の下部が、正面視において下方に向かって相寄る形状をなしている請求項１記載の椅子。
【請求項３】
前記中間連結枠材が、前記左右の側枠材における側面視前傾した部位間に架設されている請求項１又は２記載の椅子。
【請求項４】
前記中間連結枠材の前側に、左右方向に間隔をあけて複数の前記張り部材取付溝が設けられている請求項１、２又は３記載の椅子。
【請求項５】
前記左右の側枠材と前記中間連結枠材とが接続する部分の近傍に、下方に向かって開口する端部の張り部材取付溝が設けられている請求項１、２、３又は４記載の椅子。
【請求項６】
前記背フレームが、前記左右の側枠材と前記上枠材と前記中間連結枠材とによって上側の空洞を形成した上の枠状部と、前記左右の側枠材と前記下枠材と前記中間連結枠材とによって下側の前記空洞を形成した下の枠状部とを備えたものである請求項１、２、３、４又は５記載の椅子。
【請求項７】
前記上の枠状部を構成する前記左右の側枠材が、側面視において前側に突出したくの字状をなしており、前記下の枠状部を構成する前記左右の側枠材が側面視において後側に突出したくの字状をなしている請求項６記載の椅子。
【発明の詳細な説明】
【技術分野】
【０００１】
本発明は、オフィス等において好適に使用される椅子に関する。
【背景技術】
【０００２】
従来から、背凭れにメッシュ状の張り部材を取り付けた種々の椅子が存在する（例えば、特許文献１を参照）。メッシュ状の張り部材は、その端縁が背凭れを構成する背フレームの張り部材取付溝に係合し、背フレームに張設されるようになっている。
【０００３】
ところが、従来のものは、一体成型によって背フレームを形成した場合、好適な方向に開放した溝が形成されない場合があった。特に、従来のものは、背フレームに下向きの張り部材取付溝を形成し難いものとなっており、別の部品を背フレームに添設することにより張り部材取付溝を後付けで設けるようにしていた。
【先行技術文献】
【特許文献】
【０００４】
【特許文献１】特開２０１０−２５２８９２号公報
【発明の概要】
【発明が解決しようとする課題】
【０００５】
本発明は、以上のような事情に着目してなされたもので、一体成型品であっても下向きの張り部材取付溝を作りやすい背フレームを有した椅子を提供する。
【課題を解決するための手段】
【０００６】
すなわち、本発明は次の構成をなしている。
【０００７】
請求項１に記載の発明は、背フレームに張り部材を張設した背凭れを有した椅子であって、前記背フレームが、外側方に開口した張り部材取付溝を有した左右の側枠材と、上方に開口した張り部材取付溝を有し前記左右の側枠材の上部間を連結する上枠材と、前記側枠材の下部間を連結する下枠材と、下方に開口した張り部材取付溝を有し前記下枠材との間に空洞を形成した状態で前記左右の側枠材同士を連結する中間連結枠材とを有した一体成型品である椅子である。
【０００８】
請求項２に記載の発明は、前記左右の側枠材の下部が、正面視において下方に向かって相寄る形状をなしている請求項１記載の椅子である。
【０００９】
請求項３に記載の発明は、前記中間連結枠材が、前記左右の側枠材における側面視前傾した部位間に架設されている請求項１又は２記載の椅子である。
【００１０】
請求項４に記載の発明は、前記中間連結枠材の前側に、左右方向に間隔をあけて複数の前記張り部材取付溝が設けられている請求項１、２又は３記載の椅子である。
【００１１】
請求項５に記載の発明は、前記左右の側枠材と前記中間連結枠材とが接続する部分の近傍に、下方に向かって開口する端部の張り部材取付溝が設けられている請求項１、２、３又は４記載の椅子である。
【００１２】
請求項６に記載の発明は、前記背フレームが、前記左右の側枠材と前記上枠材と前記中間連結枠材とによって上側の空洞を形成した上の枠状部と、前記左右の側枠材と前記下枠材と前記中間連結枠材とによって下側の前記空洞を形成した下の枠状部とを備えたものである請求項１、２、３、４又は５記載の椅子である。
【００１３】
請求項７に記載の発明は、前記上の枠状部を構成する前記左右の側枠材が、側面視において前側に突出したくの字状をなしており、前記下の枠状部を構成する前記左右の側枠材が側面視において後側に突出したくの字状をなしている請求項６記載の椅子である。
【発明の効果】
【００１４】
以上説明したように本発明によれば、一体成型品であっても下向きの張り部材取付溝を作りやすい背フレームを有した椅子を提供することができるものとなる。
【図面の簡単な説明】
【００１５】
【図１】本発明の一実施形態を示す斜視図。
【図２】同実施形態における正面図。
【図３】同実施形態における右側面図。
【図４】同実施形態における背面図。
【図５】同実施形態における平面図。
【図６】同実施形態における斜視図。
【図７】図２におけるＸ−Ｘ線断面図。
【図８】図２におけるＹ−Ｙ線断面図。
【図９】図２におけるＺ−Ｚ線断面図。
【図１０】同実施形態の背フレームを示す正面図。
【図１１】同実施形態の背フレームを示す背面図。
【図１２】図１０におけるＵ−Ｕ線断面図。
【図１３】図１０におけるＶ−Ｖ線断面図。
【図１４】同実施形態における分解斜視図。
【図１５】同実施形態における分解斜視図。
【図１６】同実施形態における分解斜視図。
【図１７】同実施形態における分解斜視図。
【図１８】同実施形態における分解斜視図。
【発明を実施するための形態】
【００１６】
以下、本発明の一実施形態を、図１〜１８を参照して説明する。
【００１７】
この実施形態は、本発明を、オフィス等において好適に用いられる事務用の回転椅子Ａに適用したものである。
【００１８】
この椅子Ａは、椅子本体Ｂにオプションであるハンガー９を取り付けたものである。以下、詳述する。
【００１９】
＜椅子本体Ｂ＞
椅子本体Ｂは、脚１上に支持基部２が旋回可能に設けられており、この支持基部２上に座３を配するとともに前記支持基部２に背支持体４を介して背凭れ５を支持させている。
【００２０】
＜脚１＞
脚１は、先端にキャスタ１１１を有し放射状に配置された複数本の脚羽根１１と、これら脚羽根１１の基端部に立設された脚支柱１２とを備えたものである。脚支柱１２は、上下方向に伸縮可能な図示しないガススプリングと、このガススプリングを隠蔽するカバー１２ａとを備えたものであり、このガススプリングにより支持基部２を上下位置変更可能に支持している。
【００２１】
＜支持基部２＞
支持基部２は、前記脚支柱１２に取付けられた底壁２１と、この底壁２１に剛結された左右の側壁２２と、これら側壁２２の後端部間を接続する後壁２３と、前記側壁２２の上端部間を接続する図示しない天壁とを備えたものである。側壁２２の前端部には座３の前部を支持するための前軸ｊ１を前後移動可能に保持し得る長孔２２１が形成されている。また、これら側壁２２の前後方向中間部には、支軸ｊ２を介して背支持体４が回動可能に支持されている。
【００２２】
＜座３＞
座３は、座受３１と、この座受３１上に前後位置を変更可能に設けられた座本体３２とを備えたもので、前記座受３１の下面には、前軸ｊ１の両端部を保持する前軸受部３１１と、後述する後軸ｊ３の両端部を保持する後軸受部３１２とが設けられている。
【００２３】
＜背支持体４＞
背支持体４は、中間部が支軸ｊ２を介して前記支持基部２に枢支された左右のアーム４１と、これら左右のアーム４１の後部間を剛結する結合部材４２とを備えたものである。結合部材４２は、左右のアーム４１の後端部に架設された後プレート４２１と、左右のアーム４１における前後方向中央部寄りの部分に架設された中間プレート４２２と、この中間プレート４２２と後プレート４２１との間に位置させて前記両アーム４１の内側面間に配されたチャンネル部材４２３とを備えたもので、これら後プレート４２１、チャンネル部材４２３、及び中間プレート４２２は、板金素材により一体に構成されている。
【００２４】
後プレート４２１は、単一のものであって、複数のボルトｖ１を挿通させるための複数のボルト挿通孔ｈ１が設けられ、それら各ボルト挿通孔ｈ１の下面側にはナット部ｎ１が設けられている。すなわち、この後プレート４２１と前記ナット部ｎ１とを主体にして、前記背凭れ５を取付けるための背凭れ取付部ｔが構成されている。
【００２５】
なお、チャンネル部材４２３と支持基部２の後壁２３との間に、背凭れ５を所望の後傾位置でロックするための後傾ロック機構６が設けられている。後傾ロック機構６は、前記後壁２３に上下方向に間隔をあけて設けられた複数のロック孔２３１と、前記チャンネル部材４２３内に配設され前記ロック孔２３１のいずれかに係合する突出位置とロック孔４２３から離脱する離脱位置との間で突没可能な図示しないロック板と、このロック板を突没動作させる操作レバー６１とを備えたものである。
【００２６】
左右のアーム４１における前記チャンネル部材４２３に対応する部位には、前記後軸ｊ３が貫装されており、この後軸ｊ３における前記アーム４１よりも外側方に突出する両方の端部に、前記座受３１の後軸受部３１２が係合している。左右のアーム４１の前端部間には、受け軸４３が架設されており、この受け軸４３と支持基部２の前端部間に前記背支持体４を介して前記背凭れ５を前方に回動付勢するための反力機構７が設けられている。ここで、符号７１は反力機構７を構成するコイルスプリングであり、符号７２はこのコイルスプリング７１の予圧を調整するための予圧調整レバーである。
【００２７】
＜背凭れ５＞
背凭れ５は、前記背凭れ取付部ｔに取付けられた背フレーム５１と、この背フレーム５１に張設された張り部材５２と、この張り部材５２の背面側に位置させて前記背フレーム５１に取付けられたランバーサポート５３とを備えてなる。この背凭れ５は、メッシュ状の張り部材５２により着座者の背中を後方から受け止める背凭れ面が構成されたものとなっている。
【００２８】
背フレーム５１は、外側方に開口した張り部材取付溝ｍ１を有した左右の側枠材Ｗ１と、上方に開口した張り部材取付溝ｍ２を有し前記左右の側枠材Ｗ１の上部間を連結する上枠材Ｗ２と、前記側枠材Ｗ１の下部間を連結する下枠材Ｗ３と、下方に開口した張り部材取付溝ｍ３を有し前記上枠材Ｗ１との間、及び前記下枠材Ｗ３との間にそれぞれ空洞ｓ１、ｓ２を形成した状態で前記左右の側枠材Ｗ１同士を連結する中間連結枠材Ｗ４とを有したもので、これら側枠材Ｗ１、上枠材Ｗ２、下枠材Ｗ３、及び中間連結枠材Ｗ４は、合成樹脂により一体に成型されている。
【００２９】
背フレーム５１は、左右の側枠材Ｗ１と上枠材Ｗ２と中間連結枠材Ｗ４とによって内部に上側の空洞ｓ１を形成した上の枠状部ｆ１と、左右の側枠材Ｗ１と下枠材Ｗ３と中間連結枠材Ｗ４とによって内部に下側の空洞ｓ２を形成した下の枠状部ｆ２とを備えている。
【００３０】
左右の側枠材Ｗ１の下部、すなわち、前記下の枠状部ｆ２を構成している左右の側枠材Ｗ１の下部分Ｗ１ｄは、正面視において下方に向かって相寄る形状をなしている。
【００３１】
上の枠状部ｆ１を構成している左右の側枠材Ｗ１の上部分Ｗ１ｕは、側面視において前側に突出したくの字状をなしている。上部分Ｗ１ｕにおける前側に最も突出した部位は着座者の腰部分に対応する位置に設定されている。また、下の枠状部ｆ２を構成している左右の側枠材Ｗ１の下部分Ｗ１ｄは、側面視において後側に突出したくの字状をなしている。
【００３２】
左右の側枠材Ｗ１の外側面には、当該側枠材Ｗ１の上端から前記中間連結枠材Ｗ４の下縁に略対応する高さ位置まで連続する張り部材取付溝ｍ１が形成されている。そして、左右の側枠材Ｗ１の前面には、前記張り部材取付溝ｍ１の下端部付近から内方に延びる段部ｚが形成されている。この段部ｚは、側枠材Ｗ１における中間連結枠材Ｗ４の下縁に略対応した高さ位置の前面部分に形成されたものであって、下部側が上部側よりも前に出た段の形態をなしており、その段部ｚの段差寸法は、張り部材５２の厚み寸法に略対応させてある。
【００３３】
上の枠状部ｆ１を構成している左右の側枠材Ｗ１における上部分Ｗ１ｕの前後方向の厚み寸法は、下の枠状部ｆ２を構成している左右の側枠材Ｗ１における下部分Ｗ１ｄの前後方向の厚み寸法よりも小さく設定されている。
【００３４】
左右の側枠材Ｗ１は、外枠部分ｗ１１と、この外枠部分ｗ１１の内側に位置し前部を前記外枠部分ｗ１１における前部よりも後方に位置させた内枠部分ｗ１２とを備えている。外枠部分ｗ１１には、前記張り部材取付溝ｍ１、及び、前記段部ｚが形成されている。内枠部分ｗ１２における上下方向中間部には、後述するランバーサポート５３の取付部材Ｈを取り付けるためのナット部ｎ２、及び、位置決め用の凹陥部ｋ１が設けられている。内枠部分ｗ１２における下部には、平板状のリブｒ１、ｒ２、ｒ３、ｒ４を介して複数の凹み空間ｋ２が上下方向に並んで設けられている。
【００３５】
詳述すれば、側枠材Ｗ１の内枠部分ｗ１２は、前記外枠部分ｗ１１の後縁から内方に延出する背面壁ｗ１２１と、この背面壁ｗ１２１の内面から前方に延出する内壁ｗ１２２とを備えている。ナット部ｎ２は、外枠部分ｗ１１と内枠部分ｗ１２の内壁ｗ１２２との間に位置させて上下に対をなして設けられたもので、凹陥部ｋ１は、対をなすナット部ｎ２と外枠部分ｗ１１と内壁ｗ１２２との間に形成されている。
【００３６】
左右の側枠材Ｗ１の下部分Ｗ１ｄは、上部分Ｗ１ｕと比較して左右幅寸法、及び、前後幅寸法が大きく設定されている。この下部分Ｗ１ｄにおける外枠部分ｗ１１と内壁ｗ１２２との間には、板状のリブｒ１、ｒ２、ｒ３、ｒ４が上下方向に間隔を空けて設けられており、これらリブｒ１、ｒ２、ｒ３、ｒ４と前記外枠部分ｗ１１と背面壁ｗ１２１と前記内壁ｗ１２２とによって前側に開放された複数の凹み空間ｋ２が形成されている。
【００３７】
上に位置しているリブｒ４は、前記中間連結枠材Ｗ４の庇部ｗ４２と一体に連続するように形成されている。その下に配されたリブｒ３は、中間連結枠材Ｗ４の下縁の位置に対応した高さ位置に設けられたもので、他のリブｒ１、ｒ２、ｒ４に比べて前端が後方に控えた形態をなしている。すなわち、このリブｒ３の前端は、中間連結枠材本体ｗ４１の前面に連続するように形成されている。また、このリブｒ３の外方端は、正面視において、前記段部ｚに連続している。
【００３８】
上枠材Ｗ２は、外枠部分ｗ２１と、この外枠部分ｗ２１の内側に位置し前部を前記外枠部分ｗ２１における前部よりも後方に位置させた内枠部分ｗ２２とを備えたものであり、前記外枠部材ｗ２１の外面に上方に開口した張り部材取付溝ｍ２が連続して形成されている。張り部材取付溝ｍ２の後側には、ハンガー９を取り付けるための溝ｍｚが設けられている。この溝ｍｚは、平面視において後方に向かって凸をなす三日月状に形成されており、溝ｍｚにおける底溝部ｍｚ１の前後寸法が、溝ｍｚにおける開口端部ｍｚ２の前後開口寸法よりも短い形状をなしている。前記溝ｍｚには、第一のクランプ部材９３の前端側に設けられた溝係合部９３１が係合するようになっている。上枠材Ｗ２の内側部分ｗ２２には、前面側に左右に対をなすガイド用の突部ｗ２２１が設けられている。これら突部ｗ２２１に沿わせるようにして後述するハンガー９における第二のクランプ部材９４を所定の内枠部分ｗ２２に係わり合わせることができるため、椅子本体Ｂに対してハンガー９を好適な位置に取り付けることができるようになっている。
【００３９】
下枠材Ｗ３は、背支持体４の背凭れ取付部ｔ上に重ね合わされる平板状の下枠材本体ｗ３１と、この下枠材本体ｗ３１の両側縁から下方に延出し前記背支持体４におけるアーム４１の外側面側に配される左右の側壁ｗ３２と、前記下枠材本体ｗ３１の後縁から下方に延出し前記背支持体４の後端縁側に配される後壁ｗ３３とを備えたもので、前記下枠材本体ｗ３１、両側壁ｗ３２、及び、後壁ｗ３３は、それぞれ側枠材Ｗ１に一体に連続している。下枠材本体Ｗ３１には、背支持体４のナット部ｎ１に対応するボルト挿通孔ｈ２が形成されており、これら各ボルト挿通孔ｈ２に挿通させたボルトｖ１を背支持体４のナット部ｎ１にそれぞれ螺着することにより背フレーム５１を背支持体４に取り付けている。
【００４０】
下枠材Ｗ３の上には、前記ボルトｖ１の頭部を隠蔽するためのカバー５４が装着されている。カバー５４の下面には、前弾性爪５４１と後弾性爪５４２とが下方に向かって突設されており、前弾性爪５４１を下枠材本体ｗ３１の前縁に係合させるとともに後弾性爪５４２を下枠材本体ｗ３１に設けられた係合孔ａｎに係合させることにより当該カバー５４が下枠材本体ｗ３１上に止着されている。なお、カバー５４は、下枠材Ｗ３を上側から覆うとともに側枠材Ｗ１の下端部に形成された左右各二箇所の凹み空間ｋ２を覆う形状をなしている。
【００４１】
中間連結枠材Ｗ４は、左右の側枠材Ｗ１における側面視前傾した部位間に架設されたもので、平面視において後方に向けて凸をなすように湾曲した形状をなしている。この中間連結枠材Ｗ４における前後方向の厚み寸法は、前記左右の側枠材Ｗ１における前記中間連結枠材Ｗ４と同一高さ位置における前後方向の厚み寸法よりも小さく設定されている。
【００４２】
具体的に説明すれば、中間連結枠材Ｗ４は、左右の側枠材Ｗ１間に架設された中間連結枠材本体ｗ４１と、この中間連結枠材本体ｗ４１の前面に突設された庇部ｗ４２と、この庇部ｗ４２の下面から前記中間連結枠材本体ｗ４１の前面に沿って下方に垂下させた複数の垂下部ｗ４３とを備えたもので、各垂下部ｗ４３の背面と前記中間連結枠材本体ｗ４１との前面との間に、下方に開口した張り部材取付溝ｍ３がそれぞれ形成されている。これら張り部材取付溝ｍ３は、左右方向に隙間を空けた状態で間欠的に形成されている。
【００４３】
中間連結枠材本体ｗ４１は、前面が側枠材Ｗ１の前面に略連続するように設定されるとともに前記側枠材Ｗ１の背面と略平行な背面、及び、略水平な底面を備えた横断面略三角形状のものである。中間連結枠材本体ｗ４１の前面は、前記側枠材Ｗ１の前面と同様に前傾しており、この前面と前記各垂下部４３との間に形成される張り部材取付溝ｍ３は、下の空洞ｓ１に向かって開口している。すなわち、中間連結枠材Ｗ４に形成された張り部材取付溝ｍ３は、斜め後に傾斜した状態で下方に開口している。
【００４４】
左右の側枠材Ｗ１と中間連結枠材Ｗ４とが接続する部分の近傍には、下方に向かって開口する端部の張り部材取付溝ｍ４が設けられている。この実施形態においては、前記中間連結枠材本体ｗ４１における左右両端部に、前記庇部ｗ４２から下方に垂下する両端垂下部ｗ４４を備えており、これら両端垂下部ｗ４４と前記中間連結枠材本体ｗ４１の前面との間にも、端部の張り部材取付溝ｍ４がそれぞれ形成されている。これら端部の張り部材取付溝ｍ４も、前記下の空洞ｓ１に向かって開口している。
【００４５】
張り部材５２は、背凭れ面を形成し得るメッシュ状の生地Ｊの周縁に帯状部材Ｇを縫着等により止着したもので、前記帯状部材Ｇを前記背フレーム５１の張り部材取付溝ｍ１、ｍ２、ｍ３、ｍ４に係合させることにより当該背フレーム５１における上の枠状部ｆ１の前面に張設されている。
【００４６】
帯状部材Ｇは、左右の側枠材Ｗ１における張り部材取付溝ｍ１に係合する側枠材係合部分ｇ１と、上枠材Ｗ２の張り部材取付溝ｍ２に係合する上枠材係合部分ｇ２と、中間連結枠材Ｗ４の張り部材取付溝ｍ３、及び、端部の張り部材取付溝ｍ４に係合する中間連結枠材係合部分ｇ３とを備えたもので、前記側枠材係合部分ｇ１と上枠材係合部分ｇ２とは一体に連続して設けられている。中間連結枠材係合部分ｇ３は、中間連結枠材Ｗ４の端部近傍において、前記側枠材係合部分ｇ１と分断されている。このため、メッシュ状の生地Ｊの周縁において、前記段部ｚに配される部分だけ帯状部材Ｇが存在しない領域が設けられている。
【００４７】
ランバーサポート５３は、張り部材５２の後に位置させて背凭れ５の左右の側枠材Ｗ１間に配されたもので、前記各側枠材Ｗ１の内側に位置させてこれら側枠材Ｗ１に取り付けられた対をなす左右の取付部材Ｈと、これら左右の取付部材Ｈ間に上下位置変更可能に架け渡されたランバーサポート本体Ｉとを具備したものである。
【００４８】
ランバーサポート本体Ｉは、上下方向中間部の厚み寸法が、上部及び下部の厚み寸法よりも大きく設定された板状をなすランバープレートｉ１と、このランバープレートｉ１における上下方向中間部の両側部から外方に突出して設けられ前記取付部材Ｈと係わり合う取付部材係合部ｉ２とを備えている。
【００４９】
ランバーサポート５３は、左右の側枠材Ｗ１に取付けられた前記左右の取付部材Ｈに前記ランバーサポート本体Ｉの取付部材係合部ｉ２を上下方向にスライド可能に保持させたもので、このランバーサポート本体Ｉと前記左右の取付部材Ｈとの間には、ランバーサポート本体Ｉを所望の高さ位置で安定保持させるための節度機構Ｓが設けられている。換言すれば、前記ランバーサポート本体Ｉは、前記取付部材Ｈに対して上下方向に節度係合し得るように構成されている。
【００５０】
取付部材Ｈは、左右に対をなして配されたものであり、図３に示すように、側面視において、側枠材Ｗ１に隠れ得る前後方向寸法に設定されている。換言すれば、側枠材Ｗ１における取付部材Ｈが止着される部位の前後方向の厚み寸法は、取付部材Ｈの前後方向の厚み寸法と同一、又は、取付部材Ｈの前後方向の厚み寸法よりも大きく設定されている。取付部材Ｈは、ランバーサポート本体Ｉの前面側を保持する前部材ｐと、前記ランバーサポート本体Ｉの背面側を保持する後部材ｑとを備えている。後部材ｑは、前記側枠材Ｗ１に対して、ボルトｖ２を用いて取付けられている。取付部材Ｈは、前記内枠部分ｗ１２に取り付けられたものであり、前記取付部材Ｈの前面が、前記外枠部分ｗ１１の前面と略面一になるように設定されている。また、前記取付部材Ｈは、前記側枠材Ｗ１に止着するための前後方向に延びたボルト挿通孔ｈ３を備えており、このボルト挿通孔ｈ３の前側に張設された張り部材５２により、前記ボルト挿通孔ｈ３、及び、このボルト挿通孔ｈ３に挿通されたボルトｖ２の頭部を覆い隠している。
【００５１】
取付部材Ｈの後部材ｑは、上下にボルト挿通孔ｈ３を有するとともに前記側枠材Ｗ１の凹陥部ｋ１を覆い隠すようにしてその側枠材Ｗ１の内壁ｗ１２２の前端に蓋着される前壁ｑ１と、この前壁ｑ１の内縁から後方に延出し、前記側枠材Ｗ１の内壁ｗ１２２の内側面に添接する側壁ｑ２と、この側壁ｑ２の後縁から内方に延出する後壁ｑ３とを備えたものである。
【００５２】
前壁ｑ１の上下端部には、前記側枠材Ｗ１のナット部ｎ２に対応するボルト挿通孔ｈ３が形成されており、このボルト挿通孔ｈ３に挿通させたボルトｖ２を側枠材Ｗ１のナット部ｎ２に螺着することにより、後部材ｑが側枠材Ｗ１に止着されている。前壁ｑ１の後面には、前記側壁ｑ２と協働して前記側枠材Ｗ１の内壁ｗ１２２を挟持する上下方向に延びた突出部ｑ１１が設けられている。
【００５３】
後壁ｑ３の前面における上の端部には前部材ｐを取り付けるための爪掛け部ｑ３１が設けられ、下の端部には下向きのナット部ｎ３が設けられている。また、後壁ｑ３の前面における内縁近傍には、前部材ｐと協働してランバーサポート本体Ｉにおける取付部材係合部ｉ２を挟持するリブ状の挟持部ｑ３２が突設されている。
【００５４】
取付部材Ｈの前部材ｐは、内側縁をランバーサポート本体Ｉの取付部材係合部ｉ２の前面に摺接させて前記後部材ｑに取付けられる湾曲短冊状のものである。前部材ｐの後面には、後部材ｑの爪掛け部ｑ３１に係合する係合爪ｐ１と、前記ナット部ｎ３に対応するボルト挿通孔ｈ４を有した突出片ｐ２とが一体に設けられている。
【００５５】
ランバーサポート本体Ｉのランバープレートｉ１は、中央部が後方に突出するように湾曲した形状をなしているもので、張り部材５２を介して着座者の背中を支持し得るものである。
【００５６】
ランバーサポート本体Ｉの取付部材係合部ｉ２は、前記ランバープレートｉ１の両端に一体に設けられた板状のものである。取付部材係合部ｉ２の背面には、前記後部材ｑの挟持部ｑ３２の内側面に添接する上下方向に延びた位置決め用の突出部ｉ２１と、前記挟持部ｑ３２の外側に位置し、前記後部材ｑの後壁ｑ３に添接する膨出部ｉ２２が設けられている。
【００５７】
節度機構Ｓは、前記後壁ｑ３の挟持部ｑ３２の内側面に上下方向に所定のピッチで連続して設けた節度凹部ｋ３と、前記ランバーサポート本体Ｉの取付部材係合部ｉ２における膨出部ｉ２２の内側面に設けられた節度凸部ｉ２３とを具備してなるもので、取付部材Ｈに対してランバーサポート本体Ｉを上下移動させることによって前記節度凸部ｉ２３が前記節度凹部ｋ３の何れかに選択的に係わり合うようになっている。
【００５８】
＜シンクロロッキング機構Ｒ＞
シンクロロッキング機構Ｒは、前記背凭れ５の傾動に対応させて前記座３の角度を一定の比率で変換させるためのもので、前記支持基部２の前端部に前軸ｊ１を介して座受３１の前部を前後移動可能に支持させるとともに、前記座３の後端部を後軸ｊ３を介して前記背支持体４のアーム４１に枢支させたものである。なお、前記後軸ｊ３は、前記アーム４１における前記支軸ｊ２よりも後方に位置する部位に貫装されており、この実施形態においては、後軸ｊ３は、前記チャンネル部材４２３内に位置するようにして前記アーム４１に設けられている。
【００５９】
＜ハンガー９＞
ハンガー９は、被服等を掛け留めるためのものであり、椅子本体Ｂを構成する枠材たる上枠材Ｗ２に取り付けられている。
【００６０】
ハンガー９は、被服等を掛けるための左右方向に延びたハンガー本体９１と、このハンガー本体９１の下面から前下方に延びる左右一対のハンガー脚９２と、前記上枠材Ｗ２の一面側すなわち上面側に係わり合う第一のクランプ部材９３と、この第一のクランプ部材９３と協働して前記上枠材Ｗ２を挟持すべく前記上枠材Ｗ２の他面側すなわち下面側に係わり合う第二のクランプ部材９４と、前記第一のクランプ部材９３の内部に挿着されたナットＮと、前記第二のクランプ部材９４に設けられたボルト挿通孔ｈ６を通して前記ナットＮに螺着されたボルトｖ３とを備えてなる。
【００６１】
ハンガー本体９１は、後方に向かって凸となるように湾曲したもので、両端を自由端としているものである。
【００６２】
ハンガー脚９２は、前記ハンガー本体９１の中間位置に左右に振り分けて一体に設けられたものであり、各ハンガー脚９２の下端に前記第一のクランプ部材９３が一体に設けられている。
【００６３】
第一のクランプ部材９３は、前記ナットＮを内部に挿入するための後方に向かって開口したナット挿入口ｓｎを備えている。第一のクランプ部材９３は、前側に上枠材Ｗ２に設けられた溝ｚに係わり合う溝係合部９３１を備えている。この第一のクランプ部材９３の下面には、前記ナット挿通口ｓｎに連通するボルト挿通孔ｈ５が穿設されている。
【００６４】
詳述すれば、第一のクランプ部材９３は、ハンガー脚９２の下端を一体化された天壁９３ａと、この天壁９３ａの前縁から斜め前下方に延出する前壁９３ｂと、この前壁９３ｂ、及び天壁９３ａの下面側に一体に形成されたブロック部９３ｃとを備えたものである。前壁９３ｂと天壁９３ａとは、同一の左右幅寸法を有したものであり、前記前壁９３ｂの前端に前記溝係合部９３１が形成されている。前記ブロック部９３ｃは、前記前壁９３ｂ、及び天壁９３ａよりも小さな左右幅寸法を有したものであり、前記ナット挿入口ｓｎは、このブロック部９３ｃに形成されている。ブロック部９３ｃの下面には、前記ナット挿入口ｓｎに連通するボルト挿通孔ｈ５が形成されている。
【００６５】
第二のクランプ部材９４は、前記上枠材Ｗ２の下面側に当接する底壁９４ａと、この底壁９４ａの左右両側縁から上方に延出され前記ブロック部９３ｃに外嵌する側壁９４ｂとを備えたものである。底壁９４ａの前端部には、上枠材Ｗ２における内枠部分ｗ２２に係わり合う屈曲した内枠部分係合部９４１が形成されており、底壁９４ａの後端部には、前記ブロック部９３ｃの背面に添接し前記ナット挿通口ｓｎを隠蔽する隠蔽部９４２が形成されている。
【００６６】
前記両側壁９４ｂの外面は、前記第一のクランプ部材９３の天壁９３ａ、及び前壁９３ｂの両側面と略面一になるように形成されているとともに前記底壁９４ａの外面は、前記第一のクランプ部材９３の天壁９３ａ、及びハンガー脚９２の背面と面一になっている。また、底壁９４ａの内面には、前記ブロック部９３ｃの下端部に外嵌する台座部９４３が形成されており、この台座部９４３に前記第一のクランプ部材９３のボルト挿通孔ｈ５に対応するボルト挿通孔ｈ６が設けられている。
【００６７】
このハンガー９の背フレーム５１への取付手順は次の通りである。
【００６８】
まず、第一のクランプ部材９３のナット挿通口ｓｎに後方からナット（Ｔナット）Ｎを挿入したうえで、その第一のクランプ部材９３の溝係合部９３１を上枠材Ｗ２の溝ｚに上側から係合させる。そして、上枠材Ｗ２の内枠部分ｗ２２に、突部ｗ２２１を目印にしつつ第二のクランプ部材９４の内枠部分係合部９４１を下側から係わり合わせて当該第二のクランプ部材９４を第一のクランプ部材９３のブロック部９３ｃに外嵌させる。
【００６９】
この状態で、前記第二のクランプ部材９４のボルト挿通孔ｈ６、及び第一のクランプ部材９３のボルト挿通孔ｈ５にボルトｖ３を下側から挿入し、そのボルトｖ３を前記ナットＮに螺着する。このボルトｖ３の緊締力により、前記上枠材Ｗ２が、前記第一のクランプ部材９３と第二のクランプ部材９４とで上下から挟圧されて、ハンガー９が背フレーム５１の上枠材Ｗ２に固定される。
【００７０】
以上説明したように、本実施形態に係る椅子Ａは、背フレーム５１に張り部材５２を張設した背凭れ５を有したものである。そして、前記背フレーム５１が、外側方に開口した張り部材取付溝ｍ１を有した左右の側枠材Ｗ１と、上方に開口した張り部材取付溝ｍ２を有し前記左右の側枠材Ｗ１の上部間を連結する上枠材Ｗ２と、前記側枠材Ｗ１の下部間を連結する下枠材Ｗ３と、下方に開口した張り部材取付溝ｍ３を有し前記下枠材Ｗ３との間に空洞ｓ２を形成した状態で前記左右の側枠材Ｗ１同士を連結する中間連結枠材Ｗ４とを有した一体成型品である。このため、中間連結枠材Ｗ４の下に空洞ｓ２が形成されているため、一体成型品の背フレーム５１においても中間連結枠材Ｗ４に下向きの張り部材取付溝ｍ３を作りやすいものとなる。
【００７１】
前記左右の側枠材Ｗ１の下部が、正面視において下方に向かって相寄る形状をなしている。このため、好適な外観を奏し得るのみならず、相寄る形状の部分の強度が確保しやすくなり、背フレーム５１の強度を向上させるための設計がし易いものとなる。
【００７２】
前記中間連結枠材Ｗ４が、前記左右の側枠材Ｗ１における側面視前傾した部位間に架設されている。このため、中間連結枠材Ｗ４に下方に開口した張り部材取付溝ｍ３を形成するべく、当該中間連結枠材Ｗ４の下部に空洞ｓ２を設計しやすい構造を採り得るものとなっている。
【００７３】
前記中間連結枠材Ｗ４の前側に、左右方向に間隔をあけて複数の前記張り部材取付溝ｍ３が設けられている。このため、張り部材５２の下縁部を好適に支持し得るものとなっている。
【００７４】
前記左右の側枠材Ｗ１と前記中間連結枠材Ｗ４とが接続する部分の近傍に、下方に向かって開口する端部の張り部材取付溝ｍ４が設けられている。このため、張り部材５２における左右の下端縁近くを、左右の側枠材Ｗ１と中間連結枠材Ｗ４とが接続する部分近傍に配された端部の張り部材取付溝ｍ４によって支持し得るものとなり、張り部材５２が歪むことなる好適に支持されるものとなる。
【００７５】
前記背フレーム５１が、前記左右の側枠材Ｗ１と前記上枠材Ｗ２と前記中間連結枠材Ｗ４とによって上側の空洞ｓ１を形成した上の枠状部ｆ１と、前記左右の側枠材Ｗ１と前記下枠材Ｗ３と前記中間連結枠材Ｗ４とによって下側の前記空洞ｓ２を形成した下の枠状部ｆ２とを備えたものである。このため、軽量化に資するとともに強度に優れた背フレーム５１を提供することができるものとなっている。
【００７６】
前記上の枠状部ｆ１を構成する前記左右の側枠材Ｗ１が、側面視において前側に突出したくの字状をなしており、前記下の枠状部ｆ２を構成する前記左右の側枠材Ｗ１が側面視において後側に突出したくの字状をなしている。このため、上の枠状部ｆ１が着座者の背中を後方から包み込むような好適な形状をなすとともに、下の枠状部ｆ２が座３等を好適に回避した形状を採り得るものとなっている。
【００７７】
なお、本発明は、以上に詳述した実施形態に限られるものではない。
【００７８】
背フレームは、中間連結枠材の上部が空洞となっていないものであってもよい。
【００７９】
背フレームは、必ずしも、合成樹脂により一体成型したものに限られず、例えば、アルミ等の金属を主体に適用したものや、木材を主体に適用したものや、粘土材料を主体に適用したものであってもよい。
【００８０】
空洞の形状、換言すれば、上の枠状部ｆ１や下の枠状部ｆ２の形状は、適宜変更することができるのは言うまでもない。
【００８１】
その他、各部の具体的構成についても上記実施形態に限られるものではなく、本発明の趣旨を逸脱しない範囲で種々変形が可能である。
【符号の説明】
【００８２】
Ａ…椅子
５…背凭れ
５１…背フレーム
ｍ１、ｍ２、ｍ３、ｍ４…張り部材取付溝
ｓ１、ｓ２…空洞
Ｗ１…（左右の）側枠材
Ｗ２…上枠材
Ｗ３…下枠材
Ｗ４…中間連結枠材
【図１】
0006650094.tif 000002
【図２】
0006650094.tif 000003
【図３】
0006650094.tif 000004
【図４】
0006650094.tif 000005
【図５】
0006650094.tif 000006
【図６】
0006650094.tif 000007
【図７】
0006650094.tif 000008
【図８】
0006650094.tif 000009
【図９】
0006650094.tif 000010
【図１０】
0006650094.tif 000011
【図１１】
0006650094.tif 000012
【図１２】
0006650094.tif 000013
【図１３】
0006650094.tif 000014
【図１４】
0006650094.tif 000015
【図１５】
0006650094.tif 000016
【図１６】
0006650094.tif 000017
【図１７】
0006650094.tif 000018
【図１８】
0006650094.tif 000019